(57)【要約】      （修正有）【課題】楽器本体を改造せずに音量を強弱調整する短音打楽器用弱音具を提供する。【解決手段】楽器本体Ｂ１，Ｂ１のいずれか一方に取付片部２を取り付けることにより、衝撃吸収シート部１が打合部Ｂ２，Ｂ２のいずれか一方を覆うように位置決めされ、この状態で打合部Ｂ２，Ｂ２を互いに打ち合わせようとしても、両者間に衝撃吸収シート部１が挟み込まれるため、その衝撃が吸収されて音量が減少する。また、楽器本体Ｂ１，Ｂ１のいずれか一方から取付片部２で衝撃吸収シート部１を取り外すことにより、打合部Ｂ２，Ｂ２同士が直接対向するため、楽器本体Ｂ１，Ｂ１同士の互いに打ち合わせに伴って打合部Ｂ２，Ｂ２が直接接触し、本来の音量が出る。【選択図】図１
0003172564.tif 000002
【実用新案登録請求の範囲】
【請求項１】
一対の楽器本体の対向する打合部の間に設けられる衝撃吸収シート部と、
前記衝撃吸収シート部の端縁から突出して設けられ、前記楽器本体のいずれか一方に対して着脱自在に取り付けられる取付片部とを備え、
前記取付片部は、前記楽器本体のいずれか一方に取り付けられることで、前記衝撃吸収シート部が前記打合部のいずれか一方を覆うように位置決めされることを特徴とする単音打楽器用弱音具。
【請求項２】
前記取付片部は、前記衝撃吸収シート部の端縁から突出するように形成される腕部と、前記腕部の先端を着脱自在に連結する係止部を有し、前記腕部が前記楽器本体のいずれか一方に沿って巻き付けられた状態で、前記係止部により連結するように構成されることを特徴とする請求項１記載の単音打楽器用弱音具。
【請求項３】
前記係止部は、前記腕部の先端同士が互いに重ね合わされることで着脱自在に連結するように構成されることを特徴とする請求項１又は２記載の単音打楽器用弱音具。
【請求項４】
前記衝撃吸収シート部は、前記楽器本体の対向する面に形成される凹状部のいずれか一方と嵌め合う形状の凸状部を有し、前記取付片部により前記楽器本体のいずれか一方に取り付けられることで、前記凸状部を前記凹状部のいずれか一方と嵌合するように位置決めすることを特徴とする請求項１、２又は３記載の単音打楽器用弱音具。
【考案の詳細な説明】
【技術分野】
【０００１】
本考案は、例えばカスタネット、クラベスや拍子木、シンバルなど、互いに打ち合わせて鳴らす単音打楽器を練習する際、その音量を減少させるために用いられる単音打楽器用弱音具に関する。
【背景技術】
【０００２】
従来、この種の単音打楽器用弱音具として、結束紐により揺動可能に連結された３枚の打片を互いに揺動させ、打撃部を打片に打ち付けられることにより打撃音を発生させる軽打楽器（三板）において、前記打片の一側下部を部分的に削除し、この削除部分にシリコン樹脂や各種弾性樹脂、スポンジなど公知の衝撃吸収部材を埋設することで打撃吸収部が設けられ、前記打片の持ち配置を反転させて前記打撃部と前記打撃吸収部の位置が前記打片の軸方向へずれるようすることにより、打音を発生させる場合と消音機能で打音を消音させる場合とを任意に選択できるようにした消音機能付三板がある（例えば、特許文献１参照）。
【先行技術文献】
【特許文献】
【０００３】
【特許文献１】登録実用新案第３１５１９７６号公報
【考案の概要】
【考案が解決しようとする課題】
【０００４】
しかし乍ら、このような従来の単音打楽器用弱音具では、打片の一部に衝撃吸収部材を埋設する改造の必要があるため、楽器本来の音質が変化するおそれがあるとともに、変化楽器本体の構造が複雑化してコストが高くなるという問題があった。
さらに、最も練習が必要な演奏の初心者によっては、打撃部と打撃吸収部の位置調整が困難であるため、十分な消音機能が発揮できないおそれがあるという問題もあった。
【０００５】
本考案は、このような問題に対処することを課題とするものであり、楽器本体を改造せずに音量を強弱調整すること、などを目的とするものである。
【課題を解決するための手段】
【０００６】
このような目的を達成するために本考案は、一対の楽器本体の対向する打合部の間に設けられる衝撃吸収シート部と、前記衝撃吸収シート部の端縁から突出して設けられ、前記楽器本体のいずれか一方に対して着脱自在に取り付けられる取付片部とを備え、前記取付片部は、前記楽器本体のいずれか一方に取り付けられることで、前記衝撃吸収シート部が前記打合部のいずれか一方を覆うように位置決めされることを特徴とする。
【考案の効果】
【０００７】
前述した特徴を有する本考案は、楽器本体のいずれか一方に取付片部を取り付けることにより、衝撃吸収シート部が打合部のいずれか一方を覆うように位置決めされ、この状態で打合部を互いに打ち合わせようとしても、両者間に衝撃吸収シート部が挟み込まれるため、その衝撃が吸収されて音量が減少し、また、楽器本体のいずれか一方から取付片部で衝撃吸収シート部を取り外すことにより、打合部同士が直接対向するため、楽器本体同士の互いに打ち合わせに伴って打合部が直接接触し、本来の音量が出るので、楽器本体を改造せずに音量を強弱調整することができる。
その結果、他人に迷惑をかけずに練習でき、且つ騒音とならない程度の音が出るため、練習には最適である。
さらに、打片の一部に衝撃吸収部材を埋設する改造の必要がある従来のものに比べ、構造が簡素化してコストの軽減化が図れるとともに、演奏の経験に関係なく、十分な消音機能が発揮できる。
【図面の簡単な説明】
【０００８】
【図１】本考案の実施形態に係る単音打楽器用弱音具の全体構成を示す説明図であり、（ａ）が単音打楽器に弱音器を取り付けて打合部の間に挟み込んだ状態の斜視図、（ｂ）が弱音器を取り付けて打合部を開いた状態の斜視図、（ｃ）が平面図、（ｄ）が音打楽器から弱音器を取り外して打合部を開いた状態の斜視図である。
【図２】本考案の他の実施形態に係る単音打楽器用弱音具の全体構成を示す説明図であり、（ａ）が拡大縦断正面図、（ｂ）が単音打楽器用弱音具のみを示す斜視図である。
【考案を実施するための形態】
【０００９】
以下、本考案の実施形態を図面に基づいて詳細に説明する。
本考案の実施形態に係る単音打楽器用弱音具Ａは、図１（ａ）〜（ｄ）に示すように、一対の楽器本体Ｂ１，Ｂ１の対向する打合部Ｂ２，Ｂ２を互いに打ち合わせて鳴らす単音打楽器Ｂを練習する際に、その音量を減少させるために取り付けられる。
単音打楽器Ｂは、一対の楽器本体Ｂ１，Ｂ１を有し、これら楽器本体Ｂ１，Ｂ１の対向する面に打合部Ｂ２，Ｂ２がそれぞれ形成され、楽器本体Ｂ１，Ｂ１を掌と指で強く挟むか、又は掌同士で強く挟むか、若しくは振ることにより、打合部Ｂ２，Ｂ２が互いに打ち合わされて鳴る、例えばカスタネット、クラベスや拍子木、シンバルなどからなる。
【００１０】
詳しく説明すると、単音打楽器用弱音具Ａは、楽器本体Ｂ１，Ｂ１の対向する面において打合部Ｂ２，Ｂ２の間に設けられる衝撃吸収シート部１と、衝撃吸収シート部１の端縁から突出して設けられ、楽器本体Ｂ１，Ｂ１のいずれか一方又は両方に対して着脱自在に取り付けられる取付片部２を、主要な構成要素として備えている。
【００１１】
衝撃吸収シート部１は、打合部Ｂ２，Ｂ２同士の打合せ時に生じる衝撃を吸収するための材料、例えばフェルトやスポンジ又はゴムや軟質合成樹脂などの弾性部材で、楽器本体Ｂ１，Ｂ１の対向する面において、少なくとも打合部Ｂ２，Ｂ２のいずれか一方よりも大きくなるように形成されている。
【００１２】
取付片部２は、それが楽器本体Ｂ１，Ｂ１のいずれか一方に取り付けられることで、衝撃吸収シート部１を打合部Ｂ２，Ｂ２のいずれか一方を覆うように位置決めするものである。
取付片部２の具体例としては、衝撃吸収シート部１の端縁から突出するように形成される腕部２ａと、腕部２ａの先端を着脱自在に連結するように設けられる係止部２ｂを有している。腕部２ａは、楽器本体Ｂ１，Ｂ１のいずれか一方に対して巻き付け可能な長さに形成され、腕部２ａが楽器本体Ｂ１，Ｂ１のいずれか一方に沿って巻き付けられた状態で、係止部２ｂにより連結されるように構成することが好ましい。
係止部２ｂの具体例としては、例えばマジックテープ(商標)やベルクロ(商標)ファスナーなどからなる面ファスナーを設けることが好ましい。
【００１３】
このような単音打楽器用弱音具Ａによると、図１（ａ）（ｂ）に示されるように、楽器本体Ｂ１，Ｂ１のいずれか一方に対し取付片部２を取り付けることで、衝撃吸収シート部１が打合部Ｂ２，Ｂ２のいずれか一方を覆うように位置決めされる。それにより、打合部Ｂ２，Ｂ２との間に衝撃吸収シート部１が挟まれる。
この取り付け状態で、楽器本体Ｂ１，Ｂ１を掌と指で強く挟むか、又は掌同士で強く挟むか、若しくは振るなどして、打合部Ｂ２，Ｂ２同士を互いに打ち合わせようとしても、両者間に衝撃吸収シート部１が挟み込まれるため、その衝撃が吸収されて音量が減少する。
また、図１（ｃ）に示されるように、楽器本体Ｂ１，Ｂ１のいずれか一方から取付片部２で衝撃吸収シート部１を取り外すことで、図１（ｄ）に示されるように、打合部Ｂ２，Ｂ２同士が直接対向する。
この取り外し状態で、楽器本体Ｂ１，Ｂ１を掌と指で強く挟むか、又は掌同士で強く挟むか、若しくは振るなどして、打合部Ｂ２，Ｂ２同士を互いに打ち合わせると、打合部Ｂ２，Ｂ２が直接接触するため、本来の音量が出る。
したがって、楽器本体Ｂ１，Ｂ１を改造せずに音量を強弱調整することができる。
【００１４】
特に、取付片部２が、衝撃吸収シート部１の端縁から突出するように形成される腕部２ａと、腕部２ａの先端を着脱自在に連結する係止部２ｂを有し、腕部２ａを楽器本体Ｂ１，Ｂ１のいずれか一方に沿って巻き付けた状態で、係止部２ｂにより連結するように構成される場合には、楽器本体Ｂ１に対して取付片部２を容易に取り付け且つ容易に取り外すことができる。
それにより、簡単な構造でありながら簡単に着脱できて使用勝手が良い。
次に、本考案の各実施例を図面に基づいて説明する。
【実施例１】
【００１５】
この実施例１は、図１（ａ）〜（ｄ）に示すように、係止部２ｂが腕部２ａの先端同士を互いに重ね合わせることで着脱自在に連結するように構成されるものである。
さらに、実施例１では、単音打楽器Ｂがカスタネットである場合を示している。
【００１６】
カスタネットは、略円盤状に形成された楽器本体Ｂ１，Ｂ１の対向する面において、その中央部位に凹状部Ｂ３，Ｂ３が一体形成され、外周部位の対向する位置には打合部Ｂ２，Ｂ２がそれぞれ部分的に突出して形成される。
楽器本体Ｂ１，Ｂ１において打合部Ｂ２，Ｂ２と反対側の端部には、連結用の突出部Ｂ４，Ｂ４が一体形成され、突出部Ｂ４，Ｂ４に亘って結束紐Ｂ５を挿通することで、楽器本体Ｂ１，Ｂ１が揺動可能に連結されている。
その使用方法は、楽器本体Ｂ１，Ｂ１を手に持って掌と指で強く挟むか、又は掌同士で強く挟むなどの操作により、打合部Ｂ２，Ｂ２が互いに打ち合わされて鳴るようになっている。
図示されるカスタネットの形状は、スペインの舞踊フラメンコなどに用いられる、フラメンコスタイルを示している。
【００１７】
そして、図１（ａ）〜（ｃ）に示される例では、衝撃吸収シート部１が楽器本体Ｂ１の対向する面よりも大きく形成され、楽器本体Ｂ１，Ｂ１のいずれか一方に取付片部２を取り付けることにより、衝撃吸収シート部１が楽器本体Ｂ１の略全体を覆うように位置決めされている。
さらに、衝撃吸収シート部１の端縁において複数箇所から一対の腕部２ａが突出するように連続形成され、これら腕部２ａの先端同士に亘って係止部２ｂとなる面ファスナーが設けられている。
楽器本体Ｂ１，Ｂ１において連結用の突出部Ｂ４，Ｂ４の側面には、その他の部位の幅寸法よりも小さなくびれ部Ｂ６が形成され、くびれ部Ｂ６に沿って一対の腕部２ａを巻き付けるとともに、腕部２ａの先端同士を互いに重ね合わせて、係止部２ｂとなる面ファスナーにより着脱自在に連結している。
また、その他の例として図示しないが、衝撃吸収シート部１が、打合部Ｂ２を含む楽器本体Ｂ１の約半分を覆うように位置決めされるように取り付けたり、衝撃吸収シート部１の端縁から一つの又は三つ以上の腕部２ａが突出するように形成したり、着脱可能な係止部２ｂとして、面ファスナーに代えて例えばホック（かぎホック）やスナップ（押しホック）やボタンなどを用いることも可能である。
【００１８】
このような本考案の実施例１に係る単音打楽器用弱音具Ａによると、係止部２ｂが腕部２ａの先端同士を互いに重ね合わせることで着脱自在に連結するように構成されるため、楽器本体Ｂ１に対して取付片部２を確実に取り付けることができる。
それにより、単音打楽器（カスタネット）Ｂの練習中に、楽器本体Ｂ１，Ｂ１を激しく振ったり振動させたりしても、楽器本体Ｂ１から衝撃吸収シート部１が外れることがなく、安心して単音打楽器（カスタネット）Ｂの練習に熱中できるという利点がある。
【００１９】
特に、楽器本体Ｂ１，Ｂ１のくびれ部Ｂ６に沿って一対の腕部２ａを巻き付けた場合には、例えばフラメンコなどの踊り手自身が舞踊動作に合わせて自ら演奏するように、楽器本体Ｂ１，Ｂ１を激しく振ったり振動させたりしても、打合部Ｂ２に対して衝撃吸収シート部１が位置ズレし難くなって、確実に消音機能を発揮できる。
【００２０】
さらに、図１（ａ）〜（ｃ）に示される例では、一方の腕部２ａの表面に係止部２ｂ（面ファスナー）の一部を設け、他方の腕部２ａの裏面に係止部２ｂ（面ファスナー）の他部を設けることにより、楽器本体Ｂ１の打合部Ｂ２に対して衝撃吸収シート部１の表裏いずれの面が接触するように配置しても、係止部２ｂによる取り付けが可能となって便利であるという利点もある。
【実施例２】
【００２１】
この実施例２は、図２（ａ）（ｂ）に示すように、衝撃吸収シート部１が、楽器本体Ｂ１，Ｂ１の対向面に形成される凹状部Ｂ３，Ｂ３のいずれか一方と嵌め合う形状の凸状部３を有し、取付片部２により楽器本体Ｂ１，Ｂ１のいずれか一方に衝撃吸収シート部１が取り付けられることで、凸状部３を凹状部Ｂ３，Ｂ３のいずれか一方と嵌合するように位置決めする構成が、図１に示した実施例１とは異なり、それ以外の構成は図１に示した実施例１と同じものである。
【００２２】
凸状部３は、例えばスポンジやゴムなどの弾性変形可能な材料や変形し易い材料で、楽器本体Ｂ１の凹状部Ｂ３の内形状と同じ又は類似した外形状となるように形成され、衝撃吸収シート部１の中央部位においてその表裏いずれか一方の面から突出するように設けられる。また、衝撃吸収シート部１の中央部位においてその表裏両面から凸状部３をそれぞれ突出させて設けることも可能である。
その具体例としては、衝撃吸収シート部１と別個に形成された凸状部３を、衝撃吸収シート部１の中央部位に固着することで、衝撃吸収シート部１と凸状部３を一体化することが好ましい。
図２（ａ）（ｂ）に示される例では、スポンジなどの弾性部材からなる凸状部３が、衝撃吸収シート部１の表裏いずれか一方の面の中央部位に接着剤などで固着されている。
また、その他の例として図示しないが、衝撃吸収シート部１の肉厚寸法を、衝撃吸収シート部１の中央部位が外周部位の肉厚寸法よりも厚くなるように形成することで凸状部３を一体形成したり、肉厚寸法がほぼ均一な衝撃吸収シート部１の中央部位を、例えばプレス加工などにより部分的に曲げ成形することで凸状部３を一体形成したり、することも可能である。
【００２３】
このような本考案の実施例２に係る単音打楽器用弱音具Ａによると、楽器本体Ｂ１，Ｂ１のいずれか一方に対し取付片部２を取り付けることで、衝撃吸収シート部１の凸状部３が楽器本体Ｂ１の凹状部Ｂ３と嵌合するように位置決めされるので、楽器本体Ｂ１の打合部Ｂ２に対して衝撃吸収シート部１が位置ズレ不能に配置することができる。
したがって、例えばフラメンコなどの踊り手自身が舞踊動作に合わせて自ら演奏するように、楽器本体Ｂ１，Ｂ１を激しく振ったり振動させたりしても、打合部Ｂ２に対して衝撃吸収シート部１が全く位置ズレせず、確実に消音機能を発揮できるという利点がある。
【００２４】
なお、前示実施例では、単音打楽器Ｂがカスタネットである場合を示したが、これに限定されず、カスタネットに代えてクラベスや拍子木やシンバルなどであり、それらを練習する際に、その音量を減少させるために単音打楽器用弱音具Ａを取り付けても良い。
この場合も前示実施例と同様な作用効果が得られる。
【符号の説明】
【００２５】
１  衝撃吸収シート部                    ２  取付片部
２ａ  腕部                              ２ｂ  係止部
３  凸状部                              Ｂ１  楽器本体
Ｂ２  打合部                            Ｂ３  凹状部
【図１】
0003172564.tif 000003
【図２】
0003172564.tif 000004